(57)【要約】【課題】ＲＧＢ各色の発光素子の点灯開始タイミングを固定した上でＲＧＢ各色の発光素子を順番に点消灯させる構成において、発光素子の点灯期間の調整が行われたとしても、読み取りによって得られた画素値の補正を正確に行う。【解決手段】フィルター処理部９４は、ＲＧＢ各色のＬＥＤ２０のうち点灯期間の中心Ｃが仮想読取中心Ｃ０からずれる所定ＬＥＤ２０に対応する色成分の補正後の画素値が、所定ＬＥＤ２０の点灯期間の中心Ｃを仮想読取中心Ｃ０に一致させた場合の画素値となるように、所定ＬＥＤ２０の点灯期間の中心Ｃと仮想読取中心Ｃ０とのズレ量に基づき補正フィルターの係数を変更する。【選択図】図７
2014232939.tif 000002
【特許請求の範囲】
【請求項１】
ＲＧＢ各色の発光素子を含み、１ライン分の読取周期内における前記ＲＧＢ各色の発光素子の点灯開始タイミングを固定した上で１ライン分の読取周期内に前記ＲＧＢ各色の発光素子を順番に点消灯させることにより原稿に光を照射する光源部と、
原稿で反射された反射光を受光することによって原稿をライン単位で読み取り、原稿の画像データを生成する読取部と、
前記読取部による原稿の読み取りによって得られた画像データに対して、補正フィルターを用いて画素値の補正処理を行うフィルター処理部と、を備え、
前記フィルター処理部は、１ライン分の読取周期内に仮想読取中心を設定し、前記ＲＧＢ各色の発光素子のうち点灯期間の中心が前記仮想読取中心からずれる所定発光素子に対応する色成分の補正後の画素値が、前記所定発光素子の点灯期間の中心を前記仮想読取中心に一致させた場合の画素値となるように、前記所定発光素子の点灯期間の中心と前記仮想読取中心とのズレ量に基づき前記補正フィルターの係数を変更することを特徴とする画像読取装置。
【請求項２】
前記フィルター処理部は、前記ＲＧＢ各色の発光素子のうち１ライン分の読取周期内において点灯期間が最も長い発光素子を基準発光素子とし、前記基準発光素子の点灯期間の中心を前記仮想読取中心とすることを特徴とする請求項１に記載の画像読取装置。
【請求項３】
前記光源部は、１ライン分の読取周期内において前記基準発光素子を最初に点消灯させることを特徴とする請求項２に記載の画像読取装置。
【請求項４】
前記フィルター処理部は、１ライン分の読取周期の中心に前記仮想読取中心を設定することを特徴とする請求項１に記載の画像読取装置。
【請求項５】
請求項１〜４のいずれか１項に記載の画像読取装置を備えていることを特徴とする画像形成装置。
【発明の詳細な説明】
【技術分野】
【０００１】
本発明は、画像読取装置および画像形成装置に関する。
【背景技術】
【０００２】
従来から、原稿を読み取って画像データを生成する画像読取装置が知られている。画像読取装置は、たとえば、複合機などの画像形成装置に装着される。
【０００３】
画像読取装置には、たとえば、原稿を読み取るための機構部としてＣＩＳ（Ｃｏｎｔａｃｔ  Ｉｍａｇｅ  Ｓｅｎｓｏｒ）ユニットを備えたものがある。ＣＩＳユニットは、ＲＧＢ各色の発光素子やイメージセンサーなどを含む。なお、発光素子は、たとえば、ＬＥＤである。そして、ＣＩＳユニットは、ＲＧＢ各色の光を原稿に照射することにより原稿で反射された光を受光し、ライン単位で画素毎に光電変換して電荷を蓄積し、ＲＧＢ各色のアナログ信号を出力する。
【０００４】
このような画像読取装置は、原稿の読み取りを行うとき、原稿とＣＩＳユニットとを相対的に移動させる。また、このとき、ＲＧＢ各色のＬＥＤを１ライン分の読取周期内に順番に点消灯させ、原稿で反射された各色の反射光をイメージセンサーに順次受光させる。イメージセンサーから出力されるＲＧＢ各色のアナログ信号は、デジタルの画像データに変換される。そして、ＲＧＢ各色の画像データを合成することによって、１ライン分の画像データを生成する。
【０００５】
ＲＧＢ各色のＬＥＤを１ライン分の読取周期内に順番に点消灯させる構成では、ＲＧＢ各色の読取位置が互いにずれてしまう。このため、たとえば、原稿の読み取りによって得られた画像のエッジなどにおいて色ずれが発生する。したがって、従来では、ＲＧＢ各色の画像データに対して補正を行うようにしている（たとえば、特許文献１参照）。
【０００６】
特許文献１では、１ライン分の読取周期内において、赤色ＬＥＤ、緑色ＬＥＤおよび青色ＬＥＤの順番で点消灯させている。そして、Ｇ成分の画素値については、緑色ＬＥＤの点灯期間を１／３周期だけ赤色ＬＥＤの点灯期間側にずらした場合に得られると予測される画素値となるよう補正している。また、Ｂ成分の画素値については、青色ＬＥＤの点灯期間を２／３周期だけ赤色ＬＥＤの点灯期間側にずらした場合に得られると予測される画素値となるよう補正している。
【先行技術文献】
【特許文献】
【０００７】
【特許文献１】特開２０１１−２３９５６号公報
【発明の概要】
【発明が解決しようとする課題】
【０００８】
特許文献１では、ＬＥＤの点灯期間を調整するとき、ＬＥＤの点灯期間の中心がずれないように、ＬＥＤの点灯開始タイミングおよび消灯タイミングの両方を同じだけずらすようにしている。したがって、ＬＥＤの点灯期間が調整されたとしても、赤色ＬＥＤの点灯期間の中心と緑色ＬＥＤおよび青色ＬＥＤの各点灯期間の中心とのズレ量は変化しない。たとえば、赤色ＬＥＤの点灯期間の中心と緑色ＬＥＤの点灯期間の中心とのズレ量は１／３周期のままである。これにより、緑色ＬＥＤの点灯期間を仮想的に１／３周期ずらした場合の緑色ＬＥＤの点灯期間の中心は、赤色ＬＥＤの点灯期間の中心と一致する。したがって、ＬＥＤの点灯期間が調整されたとしても、Ｇ成分の画素値の補正に際しては、緑色ＬＥＤの点灯期間を１／３周期だけ赤色ＬＥＤの点灯期間側にずらした場合に得られると予測される画素値を求めればよい。なお、Ｂ成分の画素値の補正についても同様である。
【０００９】
しかしながら、画像読取装置によっては、１ライン分の読取周期内におけるＲＧＢ各色のＬＥＤの点灯開始タイミングを固定した上で１ライン分の読取周期内にＲＧＢ各色のＬＥＤを順番に点消灯させる場合がある（ＲＧＢ各色のＬＥＤの点灯開始タイミングを固定し、消灯タイミングのみ調整できるようにする場合がある）。この場合、たとえば、赤色ＬＥＤの点灯期間に対して緑色ＬＥＤの点灯期間が短くなるように調整されると、緑色ＬＥＤの点灯開始タイミングは変更されず、消灯タイミングが早まる。すなわち、緑色ＬＥＤの点灯期間の中心が従前の位置からずれるので、赤色ＬＥＤの点灯期間の中心と緑色ＬＥＤの点灯期間の中心とのズレ量が変化する。したがって、緑色ＬＥＤの点灯期間を仮想的に１／３周期ずらした場合の緑色ＬＥＤの点灯期間の中心は、赤色ＬＥＤの点灯期間の中心と一致しない。その結果、Ｇ成分の補正後の画素値は、緑色ＬＥＤの点灯期間の中心を赤色ＬＥＤの点灯期間の中心に一致させた場合に得られると予測される画素値とはならない（画素値の補正を正確に行えない）。なお、Ｂ成分の補正後の画素値についても同様である。
【００１０】
本発明は、上記課題を解決するためになされたものであり、１ライン分の読取周期内におけるＲＧＢ各色の発光素子の点灯開始タイミングを固定した上で１ライン分の読取周期内にＲＧＢ各色の発光素子を順番に点消灯させる構成において、発光素子の点灯期間の調整が行われたとしても、読み取りによって得られた画素値の補正を正確に行うことが可能な画像読取装置および画像形成装置を提供することを目的とする。
【課題を解決するための手段】
【００１１】
上記目的を達成するために、本発明の画像読取装置は、ＲＧＢ各色の発光素子を含み、１ライン分の読取周期内におけるＲＧＢ各色の発光素子の点灯開始タイミングを固定した上で１ライン分の読取周期内にＲＧＢ各色の発光素子を順番に点消灯させることにより原稿に光を照射する光源部と、原稿で反射された反射光を受光することによって原稿をライン単位で読み取り、原稿の画像データを生成する読取部と、読取部による原稿の読み取りによって得られた画像データに対して、補正フィルターを用いて画素値の補正処理を行うフィルター処理部と、を備える。そして、フィルター処理部は、１ライン分の読取周期内に仮想読取中心を設定し、ＲＧＢ各色の発光素子のうち点灯期間の中心が仮想読取中心からずれる所定発光素子に対応する色成分の補正後の画素値が、所定発光素子の点灯期間の中心を仮想読取中心に一致させた場合の画素値となるように、所定発光素子の点灯期間の中心と仮想読取中心とのズレ量に基づき補正フィルターの係数を変更する。
【００１２】
本発明では、ＲＧＢ各色の発光素子のうち点灯期間の中心が仮想読取中心からずれる所定発光素子に対応する色成分の画素値に対して、所定発光素子の点灯期間の中心を仮想読取中心に一致させた場合の画素値となるように、フィルター処理部が補正フィルターを用いて補正をかける。これにより、各色成分の画素値は、実質的に原稿内の同じ位置を読み取った場合の画素値となる。したがって、原稿の読み取りによって得られた画像のエッジなどにおいて色ずれが発生するのを抑制することができる。
【００１３】
ここで、フィルター処理部は、所定発光素子の点灯期間の中心と仮想読取中心とのズレ量に基づき補正フィルターの係数を変更する。したがって、発光素子の点灯期間の調整が行われ、所定発光素子の点灯期間の中心と仮想読取中心とのズレ量が変化すると、補正フィルターの係数が変更される。すなわち、補正フィルターの係数は、所定発光素子の調整後の点灯期間に応じた値に変更される。その結果、発光素子の点灯期間の調整が行われたとしても、所定発光素子に対応する色成分の画素値は、所定発光素子の点灯期間の中心を仮想読取中心に一致させた場合の画素値となるよう補正される（画素値の補正が正確に行われる）。
【発明の効果】
【００１４】
本発明によれば、１ライン分の読取周期内におけるＲＧＢ各色の発光素子の点灯開始タイミングを固定した上で１ライン分の読取周期内にＲＧＢ各色の発光素子を順番に点消灯させる構成において、発光素子の点灯期間の調整が行われたとしても、読み取りによって得られた画素値の補正を正確に行うことができる。
【図面の簡単な説明】
【００１５】
【図１】本発明の一実施形態による画像形成装置の全体構成図
【図２】図１に示した画像形成装置に装着された画像読取装置の構成図
【図３】図１に示した画像形成装置のハードウェア構成を説明するためのブロック図
【図４】図２に示した画像読取装置のハードウェア構成を説明するためのブロック図
【図５】図２に示した画像読取装置のＲＧＢ各色の発光素子の点灯期間を説明するためのタイミングチャート
【図６】図２に示した画像読取装置のフィルター処理部が用いる補正フィルターを説明するための図
【図７】図２に示した画像読取装置のフィルター処理部が行う処理を説明するための図
【図８】図２に示した画像読取装置のフィルター処理部が行う処理を説明するための図
【図９】図２に示した画像読取装置のフィルター処理部が行う処理を説明するための図
【図１０】図２に示した画像読取装置のフィルター処理部が用いる補正フィルターの係数を変更するときの流れを説明するためのフローチャート
【図１１】図２に示した画像読取装置のフィルター処理部が行う処理を説明するための図（変形例）
【図１２】図２に示した画像読取装置のフィルター処理部が行う処理を説明するための図（変形例）
【発明を実施するための形態】
【００１６】
本発明の一実施形態による画像読取装置を備えた画像形成装置について、複数種のジョブの実行が可能な複合機を例にとって説明する。
【００１７】
（画像形成装置の全体構成）
図１に示すように、本実施形態の画像形成装置１００は、本体上方に配置された画像読取装置２００を備える。この画像読取装置２００は、原稿搬送部１０１と画像読取部１０２とを含む。なお、画像読取装置２００の構成については後に詳細に説明する。
【００１８】
また、画像形成装置１００は、給紙部１０３、用紙搬送部１０４、画像形成部１０５、中間転写部１０６および定着部１０７を備える。
【００１９】
給紙部１０３は、用紙Ｐが収容されるカセット３１を含み、カセット３１内の用紙Ｐを用紙搬送路４１に供給する。給紙部１０３には、カセット３１内の用紙Ｐを１枚ずつ引き出すためのピックアップローラー３２が設けられている。また、給紙部１０３には、カセット３１内から引き出される用紙Ｐの重送を抑制しつつ用紙Ｐを用紙搬送路４１に供給するための給紙ローラー対３３が設けられている。用紙搬送部１０４は、給紙部１０３から供給された用紙Ｐを用紙搬送路４１に沿って搬送し、印刷済みの用紙Ｐを排紙トレイ４２に導く。用紙搬送部１０４には、用紙搬送路４１に沿って用紙Ｐを搬送するための搬送ローラー対４３が設けられている。
【００２０】
画像形成部１０５は、ブラックのトナー像を形成するためのトナー像形成部５１Ｂｋ、イエローのトナー像を形成するためのトナー像形成部５１Ｙ、シアンのトナー像を形成するためのトナー像形成部５１Ｃ、および、マゼンタのトナー像を形成するためのトナー像形成部５１Ｍ（以下、総じて単にトナー像形成部５１と称する場合がある）を含む。トナー像形成部５１は、感光体ドラム１、帯電装置２、現像装置３およびドラム清掃装置４を有する。また、画像形成部１０５は、感光体ドラム１の表面に静電潜像を形成するための露光部５２を含む。
【００２１】
中間転写部１０６は、無端状の中間転写ベルト６１と、ブラック、イエロー、シアンおよびマゼンタの各色に対応する１次転写ローラー６２Ｂｋ、６２Ｙ、６３Ｃおよび６４Ｍ（以下、総じて単に１次転写ローラー６２と称する場合がある）とを含む。
【００２２】
また、中間転写部１０６は、駆動ローラー６３および従動ローラー６４を含む。駆動ローラー６３および従動ローラー６４は、１次転写ローラー６２と共に中間転写ベルト６１を張架する。さらに、中間転写部１０６は、駆動ローラー６３との間で中間転写ベルト６１を挟み込む２次転写ローラー６５を含む。
【００２３】
画像形成部１０５により形成された各色のトナー像（感光体ドラム１の表面のトナー像）は、１次転写ローラー６２に転写電圧が印加されることにより、順次、ずれなく重畳して中間転写ベルト６１に１次転写される。その後、中間転写ベルト６１に１次転写されたトナー像は、２次転写ローラー６５に転写電圧が印加されることより、用紙Ｐに２次転写される。２次転写の後、ベルト清掃装置６６によって中間転写ベルト６１の清掃が行われる。
【００２４】
定着部１０７は、用紙Ｐに転写されたトナー像を加熱・加圧して定着させる。この定着部１０７は、加熱ローラー７１および加圧ローラー７２を含む。加熱ローラー７１は、ヒーター７３を内蔵する。加圧ローラー７２は、加熱ローラー５１に圧接する。そして、トナー像が転写された用紙Ｐは、加熱ローラー７１と加圧ローラー７２との間に形成される定着ニップを通過することで、加熱・加圧される。これにより、用紙Ｐにトナー像が定着され、印刷が完了する。その後、印刷済みの用紙Ｐが排紙トレイ４２に排出される。
【００２５】
また、画像形成装置１００は、操作パネル１０８を備える。この操作パネル１０８は、たとえば、タッチパネル付きの液晶表示部８１を含む。そして、操作パネル１０８は、画像形成装置１００の状態を示すメッセージを表示したり、印刷設定値などの入力を受け付けるソフトキーを表示したりする。また、操作パネル１０８には、数値の入力を受け付けるテンキー８２や、ジョブ実行の開始指示を受け付けるスタートキー８３が設けられている。
【００２６】
（画像読取装置の構成）
【００２７】
図２に示すように、原稿搬送部１０１は、原稿セットトレイ１１にセットされた原稿Ｄを引き出し、原稿搬送路１２を介して原稿排出トレイ１３に排出する。原稿搬送路１２には、原稿搬送方向の上流側から順に、原稿供給ローラー１４、原稿搬送ローラー対１５および原稿排出ローラー対１６が設けられている。そして、原稿セットトレイ１１にセットされた原稿Ｄは、原稿供給ローラー１４によって引き出され、原稿搬送ローラー対１５によって搬送される（後述する搬送読取用コンタクトガラス２０ａ上に搬送される）。この後、原稿排出ローラー対１６によって、原稿排出トレイ１３に排出される。
【００２８】
画像読取部１０２は、画像読取部１０２のフレーム上方に嵌め込まれた搬送読取用コンタクトガラス２０ａおよび載置読取用コンタクトガラス２０ｂを有する。搬送読取用コンタクトガラス２０ａはフレーム上方の一方端部に配置され、載置読取用コンタクトガラス２０ｂはフレーム上方の中央部に配置される。
【００２９】
画像読取部１０２のフレーム内部には、ＣＩＳユニットＣＵが設けられている。ＣＩＳユニットＣＵは、ＬＥＤランプ２１、導光体２２、結像レンズ２３、および、イメージセンサー２４によって構成される。
【００３０】
ＬＥＤランプ２１は、ＲＧＢ各色のＬＥＤ２０を含む。なお、ＬＥＤ２０は、本発明の「発光素子」に相当する。以下、赤色（Ｒ）の光を発光するＬＥＤ２０を赤色ＬＥＤ２０Ｒと称し、緑色（Ｇ）の光を発光するＬＥＤ２０を緑色ＬＥＤ２０Ｇと称し、青色（Ｂ）の光を発光するＬＥＤ２０を青色ＬＥＤ２０Ｂと称する場合がある。
【００３１】
導光体２２は、細長状に形成され、原稿搬送方向と直交する主走査方向（図２の紙面に対して垂直な方向）に沿って延びるように配置される。この導光体２２の主走査方向の両端には、ＬＥＤランプ２１が１つずつ配置される。そして、導光体２２は、ＬＥＤランプ２１から発光された光を導光し、搬送読取用コンタクトガラス２０ａまたは載置読取用コンタクトガラス２０ｂに向かって進行させる。したがって、搬送読取用コンタクトガラス２０ａ上に原稿Ｄが搬送されている場合には、搬送読取用コンタクトガラス２０ａを透過した光によって原稿Ｄが照射され、載置読取用コンタクトガラス２０ｂ上に原稿Ｄが載置されている場合には、載置読取用コンタクトガラス２０ｂを透過した光によって原稿Ｄが照射される。
【００３２】
結像レンズ２３は、ロッドレンズアレイであり、主走査方向に沿って並べられた複数のロッドレンズを含む。そして、導光体２２は、結像レンズ２３の副走査方向（主走査方向と直交する方向）の両側に１つずつ配置される（一対のＬＥＤランプ２１が１組ずつ配置される）。
【００３３】
イメージセンサー２４は、結像レンズ２３の下方に配置される。また、イメージセンサー２４は、ＲＧＢ各色のラインセンサーを含む。このラインセンサーは、主走査方向にライン状に並ぶ複数の光電変換素子を有する。そして、イメージセンサー２４は、結像レンズ２３を介して、原稿Ｄで反射された反射光を受光する。イメージセンサー２４は、原稿Ｄからの反射光を受光すると、ライン単位で画素毎に光電変換して電荷を蓄積し、蓄積電荷に応じたアナログ信号を出力する。すなわち、イメージセンサー２４の画素毎のアナログ信号は、反射光の光量に応じて変動する。
【００３４】
また、ＣＩＳユニットＣＵは、ワイヤー２５の一端と連結される。このワイヤー２５の他端は、回転することでワイヤー２５を巻き取る巻取ドラム２６に連結されている。これにより、巻取ドラム２６が回転することによって、ＣＩＳユニットＣＵが副走査方向に移動する。なお、ＣＩＳユニットＣＵには複数本のワイヤー２５が連結され、複数本のワイヤー２５が画像読取部１０２のフレーム内部において架けまわされる。ただし、図２では、便宜上、ワイヤー２５を１本のみ図示している。
【００３５】
そして、搬送読取用コンタクトガラス２０ａ上に搬送される原稿Ｄの読み取り時には、ＣＩＳユニットＣＵが搬送読取用コンタクトガラス２０ａの下方に移動して静止する。この後、原稿搬送部１０１が搬送読取用コンタクトガラス２０ａ上に原稿Ｄを搬送する。このとき、搬送読取用コンタクトガラス２０ａ上を通過する原稿Ｄに対してＬＥＤランプ２１が光を照射し、原稿Ｄで反射された反射光の光電変換をイメージセンサー２４が連続して繰り返し行う。
【００３６】
一方で、載置読取用コンタクトガラス２０ｂ上に載置された原稿Ｄの読み取り時には、ＣＩＳユニット２０が副走査方向（正面から見て左から右に向かう方向）に移動する。そして、ＣＩＳユニットＣＵが副走査方向に移動している最中に、載置読取用コンタクトガラス２０ｂ上に載置された原稿Ｄに対してＬＥＤランプ２１が光を照射し、原稿Ｄで反射された反射光の光電変換をイメージセンサー２４が連続して繰り返し行う。
【００３７】
（画像形成装置のハードウェア構成）
図３に示すように、画像形成装置１００は、本体制御部１１０を備える。本体制御部１１０は、ＣＰＵ１１１、記憶部１１２および画像処理部１１３を含む。記憶部１１２は、ＲＯＭやＲＡＭなどであり、たとえば、各種のプログラムおよびデータがＲＯＭに記憶され、ＲＡＭに展開される。また、画像処理部１１３は、画像処理専用のＡＳＩＣやメモリーなどで構成され、画像データに対して、拡大／縮小、濃度変換およびデータ形式変換などの各種の画像処理を施す。
【００３８】
また、本体制御部１１０は、給紙部１０３、用紙搬送部１０４、画像形成部１０５、中間転写部１０６、定着部１０７および操作パネル１０８と接続される。そして、本体制御部１１０は、記憶部１１２に記憶された各種のプログラムおよびデータに基づき、各部の制御や演算などを行う。また、本体制御部１１０は、画像読取装置２００と接続される。
【００３９】
（画像読取装置のハードウェア構成）
図４に示すように、画像読取装置２００は、原稿Ｄの搬送動作および原稿Ｄの読取動作を制御する画像読取制御部２１０を備える。画像読取制御部２１０は、ＣＰＵ２１１および記憶部２１２を含み、本体制御部１１０から指示を受け、画像読取装置２００の各部を制御する。
【００４０】
具体的には、画像読取制御部２１０は、原稿供給ローラー１４、原稿搬送ローラー対１５および原稿排出ローラー対１６を回転させるための搬送モーターＭ１と接続される。そして、画像読取制御部２１０は、搬送モーターＭ１の駆動を制御し、原稿供給ローラー１４、原稿搬送ローラー対１５および原稿排出ローラー対１６を適切に回転させる。また、画像読取制御部２１０は、巻取ドラム２６を回転させるための走査モーターＭ２と接続される。そして、画像読取制御部２１０は、走査モーターＭ２の駆動を制御し、巻取ドラム２６を適切に回転させる（ＣＩＳユニットＣＵを副走査方向に適切に移動させる）。
【００４１】
また、画像読取制御部２１０は、イメージセンサー２４、信号発生部９１、ランプ制御部９２、アナログ処理部９３、フィルター処理部９４および画像メモリー９５と接続されており、これら各部の動作を制御する。信号発生部９１は、点灯タイミング信号を生成する（図５参照）。この点灯タイミング信号は、ランプ制御部９２に与えられる。
【００４２】
ランプ制御部９２は、ＰＷＭ信号を生成して駆動回路２１ａに出力し、ＬＥＤランプ２１をＰＷＭ信号に基づき点灯させる。また、ランプ制御部９２は、原稿Ｄの読み取りを行うとき、赤色ＬＥＤ２０Ｒ、緑色ＬＥＤ２０Ｇおよび青色ＬＥＤ２０Ｂの点灯開始タイミングを点灯タイミング信号の立ち下がりエッジに合わせ、赤色ＬＥＤ２０Ｒ、緑色ＬＥＤ２０Ｇおよび青色ＬＥＤ２０Ｂを１ライン分の読取周期内に順番に点消灯させる（図５参照）。すなわち、赤色ＬＥＤ２０Ｒ、緑色ＬＥＤ２０Ｇおよび青色ＬＥＤ２０Ｂの点灯開始タイミングは固定される。なお、この構成においては、ＬＥＤランプ２１およびランプ制御部９２を含むブロックが本発明の「光源部」に相当する。以下の説明では、ＬＥＤランプ２１およびランプ制御部９２を光源部３００と称する場合がある。
【００４３】
アナログ処理部９３は、増幅回路やＡ／Ｄ変換回路などを含む。そして、アナログ処理部９３は、イメージセンサー２４のアナログ出力を増幅し、デジタルの画像データに変換して出力する。この構成においては、イメージセンサー２４およびアナログ処理部９３を含むブロックが本発明の「読取部」に相当する。以下の説明では、イメージセンサー２４およびアナログ処理部９３を読取部４００と称する場合がある。
【００４４】
フィルター処理部９４は、アナログ処理部９３により処理された画像データに対して、補正フィルターを用いて画素値の補正処理を行う。なお、詳細については後述する。画像メモリー９５は、画像データを蓄積し、本体制御部１１０に転送する。
【００４５】
（フィルター処理部による画像データの補正）
原稿Ｄの読み取りを行うときには、図５に示すように、赤色ＬＥＤ２０Ｒ、緑色ＬＥＤ２０Ｇおよび青色ＬＥＤ２０Ｂが１ライン分の読取周期内に順番に点消灯する。したがって、ＲＧＢ各色の読取位置が副走査方向に互いにずれる。このため、フィルター処理部９４は、原稿Ｄの読み取りによって得られた画像データに対して、補正フィルターを用いて画素値の補正処理を行う。
【００４６】
フィルター処理部９４は、ＬＥＤ２０の光量調整（点灯期間の調整）が行われた場合、その光量調整が終了したとき、補正フィルターの係数を変更する。
【００４７】
フィルター処理部９４は、補正フィルターの係数を変更するとき、１ライン分の読取周期内に仮想読取中心Ｃ０を設定する。たとえば、フィルター処理部９４は、ＲＧＢ各色のＬＥＤ２０のうち１ライン分の読取周期内において点灯期間が最も長いＬＥＤ２０を基準とし、基準となるＬＥＤ２０（以下、基準ＬＥＤ２０と称する場合がある）の点灯期間の中心Ｃを仮想読取中心Ｃ０に設定する。言い換えると、基準ＬＥＤ２０の発光色を基準色とする。図５に示す例では、ＲＧＢ各色のＬＥＤ２０のうち点灯期間が最も長いＬＥＤ２０は赤色ＬＥＤ２０Ｒである。したがって、フィルター処理部９４は、赤色ＬＥＤ２０Ｒを基準ＬＥＤ２０とし、赤色ＬＥＤ２０Ｒの点灯期間の中心Ｃを仮想読取中心Ｃ０に設定する。
【００４８】
また、フィルター処理部９４は、ＲＧＢ各色のＬＥＤ２０のうち点灯期間の中心Ｃが仮想読取中心Ｃ０からずれるＬＥＤ２０（基準ＬＥＤ２０以外のＬＥＤ２０であり、以下の説明では所定ＬＥＤ２０と称する場合がある）に対応する色成分の補正後の画素値が、所定ＬＥＤ２０の点灯期間の中心Ｃを仮想読取中心Ｃ０（基準ＬＥＤ２０の点灯期間の中心Ｃ）に一致させた場合に得られると予測される画素値となるように、所定ＬＥＤ２０の点灯期間の中心Ｃと仮想読取中心Ｃ０とのズレ量に基づき補正フィルターの係数を変更する。図５に示す例では、赤色ＬＥＤ２０Ｒの点灯期間の中心Ｃが仮想読取中心Ｃ０となる。したがって、点灯期間の中心Ｃが仮想読取中心Ｃ０からずれる所定ＬＥＤ２０は、緑色ＬＥＤ２０Ｇおよび青色ＬＥＤ２０Ｂとなる。
【００４９】
以下に、補正フィルターについて、図６を参照して詳細に説明する。なお、以下の説明では、便宜上、１ライン分の読取周期内において赤色ＬＥＤ２０Ｒを最初に点消灯させ、その後、緑色ＬＥＤ２０Ｇおよび青色ＬＥＤ２０Ｂの順番で点消灯させるとする。また、ＲＧＢ各色のＬＥＤ２０のうち点灯期間が最も長いＬＥＤ２０が赤色ＬＥＤ２０Ｒであるとする。すなわち、基準ＬＥＤ２０が赤色ＬＥＤ２０Ｒであるとする。
【００５０】
図６において、Ｒｎ、ＧｎおよびＢｎの各記号が付された３つのマス目は、ｎライン目のＲＧＢ各色の画素を示し、Ｒｎ−１、Ｇｎ−１およびＢｎ−１の各記号が付された３つのマス目は、ｎ−１ライン目のＲＧＢ各色の画素を示す。また、マス目内に付した値は、補正フィルターの係数を示す。また、斜線網掛けされたマス目は注目画素を示し、横線網掛けされたマス目は参照画素を示す。
【００５１】
図６（ａ）は、２番目に点消灯させる緑色ＬＥＤ２０Ｇに対応するＧ成分の画素値を補正するための補正フィルターの一例である。フィルター処理部９４は、注目画素Ｇｎの補正後の画素値として、注目画素Ｇｎに対応する係数（＝（ａ−ｂ１）／ａ）を注目画素Ｇｎの画素値に乗じた値と、参照画素Ｇｎ−１に対応する係数（＝ｂ１／ａ）を参照画素Ｇｎ−１の画素値に乗じた値との総和を求める。なお、係数の分母である「ａ」は、１ライン分の読取周期に相当する時間（クロック数）である。参照画素Ｇｎ−１の画像値に乗じる係数の分子である「ｂ１」は、注目画素Ｇｎを読み取ったときの緑色ＬＥＤ２０Ｇの点灯期間の中心Ｃと画素Ｒｎを読み取ったときの赤色ＬＥＤ２０Ｒの点灯期間の中心Ｃ（仮想読取中心Ｃ０）とのズレ量に相当する時間（クロック数）である。すなわち、注目画素Ｇｎに乗じる係数の分子である「ａ−ｂ１」は、参照画素Ｇｎ−１を読み取ったときの緑色ＬＥＤ２０Ｇの点灯期間の中心Ｃと画素Ｒｎを読み取ったときの赤色ＬＥＤ２０Ｒの点灯期間の中心Ｃ（仮想読取中心Ｃ０）とのズレ量に相当する時間（クロック数）である。
【００５２】
ここで、注目画素Ｇｎを読み取ったときの緑色ＬＥＤ２０Ｇの点灯期間の中心Ｃと画素Ｒｎを読み取ったときの赤色ＬＥＤ２０Ｒの点灯期間の中心Ｃ（仮想読取中心Ｃ０）とのズレ量は、参照画素Ｇｎ−１を読み取ったときの緑色ＬＥＤ２０Ｇの点灯期間の中心Ｃと画素Ｒｎを読み取ったときの赤色ＬＥＤ２０Ｒの点灯期間の中心Ｃ（仮想読取中心Ｃ０）とのズレ量よりも小さい。したがって、注目画素Ｇｎに乗じる係数（＝（ａ−ｂ１）／ａ）は、参照画素Ｇｎ−１に乗じる係数（＝ｂ１／ａ）よりも大きくなる。すなわち、２番目に点消灯させる緑色ＬＥＤ２０Ｇに対応する色成分の画素値を補正するための補正フィルターについては、注目画素Ｇｎの画素値の寄与率が高くなるように係数が設定される。
【００５３】
図６（ｂ）は、３番目に点消灯させる青色ＬＥＤ２０Ｂに対応する色成分の画素値を補正するための補正フィルターの一例である。フィルター処理部９４は、注目画素Ｂｎの補正後の画素値として、注目画素Ｂｎに対応する係数（＝（ａ−ｂ２）／ａ）を注目画素Ｂｎの画素値に乗じた値と、参照画素Ｂｎ−１に対応する係数（＝ｂ２／ａ）を参照画素Ｂｎ−１の画素値に乗じた値との総和を求める。なお、係数の分母である「ａ」は、１ライン分の読取周期に相当する時間（クロック数）である。参照画素Ｂｎ−１の画像値に乗じる係数の分子である「ｂ２」は、注目画素Ｂｎを読み取ったときの青色ＬＥＤ２０Ｂの点灯期間の中心Ｃと画素Ｒｎを読み取ったときの赤色ＬＥＤ２０Ｒの点灯期間の中心Ｃ（仮想読取中心Ｃ０）とのズレ量に相当する時間（クロック数）である。すなわち、注目画素Ｂｎに乗じる係数の分子である「ａ−ｂ２」は、参照画素Ｂｎ−１を読み取ったときの青色ＬＥＤ２０Ｂの点灯期間の中心Ｃと画素Ｒｎを読み取ったときの赤色ＬＥＤ２０Ｒの点灯期間の中心Ｃ（仮想読取中心Ｃ０）とのズレ量に相当する時間（クロック数）である。
【００５４】
ここで、注目画素Ｂｎを読み取ったときの青色ＬＥＤ２０Ｂの点灯期間の中心Ｃと画素Ｒｎを読み取ったときの赤色ＬＥＤ２０Ｒの点灯期間の中心Ｃ（仮想読取中心Ｃ０）とのズレ量は、参照画素Ｂｎ−１を読み取ったときの青色ＬＥＤ２０Ｂの点灯期間の中心Ｃと画素Ｒｎを読み取ったときの赤色ＬＥＤ２０Ｂの点灯期間の中心Ｃ（仮想読取中心Ｃ０）とのズレ量よりも大きい。したがって、注目画素Ｂｎに乗じる係数（＝（ａ−ｂ２）／ａ）は、参照画素Ｂｎ−１に乗じる係数（＝ｂ２／ａ）よりも小さくなる。すなわち、３番目に点消灯させる青色ＬＥＤ２０Ｂに対応する色成分の画素値を補正するための補正フィルターについては、参照画素Ｂｎ−１の画素値の寄与率が高くなるように係数が設定される。
【００５５】
これにより、注目画素Ｇｎの画素値は、緑色ＬＥＤ２０Ｇの点灯期間の中心Ｃを赤色ＬＥＤ２０Ｒの点灯期間の中心Ｃ（仮想読取中心Ｃ０）に一致させた場合に得られると予測される画素値となるようフィルター処理部９４によって補正される。また、注目画素Ｂｎの画素値は、青色ＬＥＤ２０Ｂの点灯期間の中心Ｃを赤色ＬＥＤ２０Ｒの点灯期間の中心Ｃ（仮想読取中心Ｃ０）に一致させた場合に得られると予測される画素値となるようフィルター処理部９４によって補正される。
【００５６】
図７を参照して説明すると、本実施形態では、基準ＬＥＤ２０（赤色ＬＥＤ２０Ｒ）の点灯期間の中心Ｃである仮想読取中心Ｃ０と所定ＬＥＤ２０（緑色ＬＥＤ２０Ｇおよび青色ＬＥＤ２０Ｂ）の点灯期間の中心Ｃとが一致するように所定ＬＥＤ２０の点灯期間をずらした場合に得られると予測される所定ＬＥＤ２０に対応する色成分の画素値を求め、求めた画素値を所定ＬＥＤ２０に対応する色成分の補正後の画素値とする。なお、図７では、仮想的にずらした所定ＬＥＤ２０の点灯期間を点線で示す。また、以下の説明で参照する図面についても同様である。
【００５７】
なお、従来では、図６に示した補正フィルターにおいて、注目画素Ｇｎに乗じる係数を２／３に固定し、参照画素Ｇｎ−１に乗じる係数を１／３に固定していた。また、注目画素Ｂｎに乗じる係数を１／３に固定し、参照画素Ｂｎ−１に乗じる係数を２／３に固定していた。すなわち、従来では、緑色ＬＥＤ２０Ｇの点灯期間を１／３周期ずらした場合に得られると予測されるＧ成分の画素値を補正後のＧ成分の画素値とし、青色ＬＥＤ２０Ｂの点灯期間を仮想的に２／３周期ずらした場合に得られると予測されるＢ成分の画素値を補正後のＢ成分の画素値としていた。
【００５８】
これによると、図８（ａ）に示すように、赤色ＬＥＤ２０Ｒの点灯期間と緑色ＬＥＤ２０Ｇの点灯期間とが同じであれば、緑色ＬＥＤ２０Ｇの点灯期間を仮想的に１／３周期ずらした場合に得られると予測されるＧ成分の画素値は、緑色ＬＥＤ２０Ｇの点灯期間の中心Ｃを赤色ＬＥＤ２０Ｒの点灯期間の中心Ｃに一致させた場合の画素値となる。また、赤色ＬＥＤ２０Ｒの点灯期間と青色ＬＥＤ２０Ｂの点灯期間とが同じであれば、青色ＬＥＤ２０Ｂの点灯期間を仮想的に２／３周期ずらした場合に得られると予測されるＢ成分の画素値は、青色ＬＥＤ２０Ｂの点灯期間の中心Ｃを赤色ＬＥＤ２０Ｒの点灯期間の中心Ｃに一致させた場合の画素値となる。
【００５９】
しかし、図８（ｂ）に示すように、ＬＥＤ２０の光量調整（点灯期間の調整）が行われることにより、赤色ＬＥＤ２０Ｒの点灯期間に対して他のＬＥＤ２０の点灯期間が長くなったり短くなったりすることがある。ここで、赤色ＬＥＤ２０Ｒ、緑色ＬＥＤ２０Ｇおよび青色ＬＥＤ２０Ｂの各点灯開始タイミングは、点灯タイミング信号の立ち下がりエッジに同期する。これにより、たとえば、赤色ＬＥＤ２０Ｒの点灯期間に対して緑色ＬＥＤ２０Ｇの点灯期間が短くなれば、緑色ＬＥＤ２０Ｇの点灯期間の中心Ｃが従前の位置からずれる。したがって、緑色ＬＥＤ２０Ｇの点灯期間を１／３周期ずらした場合に得られると予測されるＧ成分の画素値は、緑色ＬＥＤ２０Ｇの点灯期間の中心Ｃを赤色ＬＥＤ２０Ｒの点灯期間の中心Ｃに一致させた場合の画素値とはならない。
【００６０】
このため、本実施形態では、ＬＥＤ２０の光量調整（点灯期間の調整）が行われ、その光量調整が終了したとき、基準ＬＥＤ２０の点灯期間の中心Ｃ（仮想読取中心Ｃ０）と所定ＬＥＤ２０の点灯期間の中心Ｃとのズレ量（光量調整後のズレ量）に基づき補正フィルターの係数を変更する。すなわち、フィルター処理部９４は、１ライン分の読取周期に相当するクロック数を補正フィルターの係数の分母とし、基準ＬＥＤ２０の点灯期間の中心Ｃ（仮想読取中心Ｃ０）と所定ＬＥＤ２０の点灯期間の中心Ｃとのズレ量に基づき補正フィルターの係数の分子を変更する。
【００６１】
たとえば、１ライン分の読取周期に相当する時間（クロック数）が「６４」であったとする。また、基準ＬＥＤ２０が赤色ＬＥＤ２０Ｒであり、赤色ＬＥＤ２０Ｒの点灯期間の中心Ｃ（仮想読取中心Ｃ０）と緑色ＬＥＤ２０Ｇの点灯期間の中心Ｃとのズレ量に相当する時間（クロック数）が「１８」であったとする。この場合、図６に示した補正フィルターによると、注目画素Ｇｎに乗じる補正フィルターの係数（＝（ａ−ｂ１）／ａ）は「０．７２」となるとともに、参照画素Ｇｎ−１に乗じる補正フィルターの係数（＝ｂ１／ａ）は「０．２８」となる。そして、たとえば、赤色ＬＥＤ２０Ｒの点灯期間の中心Ｃ（仮想読取中心Ｃ０）と緑色ＬＥＤ２０Ｇの点灯期間の中心Ｃとのズレ量に相当する時間（クロック数）が「２０」に変化すると、注目画素Ｇｎに乗じる補正フィルターの係数（＝（ａ−ｂ１）／ａ）が「０．６９」に変更され、参照画素Ｇｎ−１に乗じる補正フィルターの係数（＝ｂ１／ａ）が「０．３１」に変更される。
【００６２】
ところで、図７に示した例では、１ライン分の読取周期内において最初に点消灯させる赤色ＬＥＤ２０Ｒの点灯期間が最も長い。しかし、図９（ａ）に示すように、１ライン分の読取周期内において２番目に点消灯させる緑色ＬＥＤ２０Ｇの点灯期間が最も長くなる場合がある。この場合、緑色ＬＥＤ２０Ｇの点灯期間の中心Ｃを赤色ＬＥＤ２０Ｒの点灯期間の中心Ｃ（仮想読取中心Ｃ０）に一致させた場合に得られると予測されるＧ成分の画素値を求めたとしても、その求めた画素値は、現在処理中のラインに対応する原稿Ｄ内の位置からずれた位置を読み取った場合の画素値となってしまう。
【００６３】
そこで、フィルター処理部９４は、図９（ｂ）に示すように、１ライン分の読取周期内において２番目に点消灯させる緑色ＬＥＤ２０Ｇを基準ＬＥＤ２０とし、緑色ＬＥＤ２０Ｇの点灯期間の中心Ｃを仮想読取中心Ｃ０する。すなわち、フィルター処理部９４は、１ライン分の読取周期内において点消灯させる順番にかかわらず、ＲＧＢ各色のＬＥＤ２０のうち点灯期間が最も長いＬＥＤ２０を基準ＬＥＤ２０とし、そのＬＥＤ２０の点灯期間の中心Ｃを仮想読取中心Ｃ０とする。これにより、フィルター処理部９４による補正処理によって求められた画素値は、現在処理中のラインに対応する原稿Ｄ内の位置を読み取った場合の画素値となる。
【００６４】
以下に、図１０を参照して、補正フィルターの係数を変更するときの流れについて説明する。なお、図１０のフローチャートのスタートは、ＬＥＤ２０の光量調整（点灯期間の調整）が終了したときである。
【００６５】
ステップＳ１において、フィルター処理部９４は、赤色ＬＥＤ２０Ｒ、緑色ＬＥＤ２０Ｇおよび青色ＬＥＤ２０Ｂのうち、１ライン分の読取周期内において点灯期間が最も長いＬＥＤ２０を判別する。そして、ステップＳ２において、フィルター処理部９４は、１ライン分の読取周期内において点灯期間が最も長いＬＥＤ２０を基準ＬＥＤ２０とし、基準ＬＥＤ２０の点灯期間の中心Ｃを仮想読取中心Ｃ０に設定する。
【００６６】
次に、ステップＳ３において、フィルター処理部９４は、基準ＬＥＤ２０の点灯期間の中心Ｃ（仮想読取中心Ｃ０）と基準ＬＥＤ２０以外の所定ＬＥＤ２０の点灯期間の中心Ｃとのズレ量（ズレ量に相当するクロック数）を判別する。その後、ステップＳ４において、フィルター処理部９４は、所定ＬＥＤ２０に対応する色成分の補正後の画素値が、所定ＬＥＤ２０の点灯期間の中心Ｃを基準ＬＥＤ２０の点灯期間の中心Ｃ（仮想読取中心Ｃ０）に一致させた場合に得られると予測される画素値となるように、所定ＬＥＤ２０の点灯期間の中心Ｃと基準ＬＥＤ２０の点灯期間の中心Ｃ（仮想読取中心Ｃ０）とのズレ量に基づき補正フィルターの係数を変更する。
【００６７】
本実施形態の画像読取装置２００は、ＲＧＢ各色のＬＥＤ２０（発光素子）を含み、１ライン分の読取周期内におけるＲＧＢ各色のＬＥＤ２０の点灯開始タイミングを固定した上で１ライン分の読取周期内にＲＧＢ各色のＬＥＤ２０を順番に点消灯させることにより原稿Ｄに光を照射する光源部３００と、原稿Ｄで反射された反射光を受光することによって原稿Ｄをライン単位で読み取り、原稿Ｄの画像データを生成する読取部４００と、読取部４００による原稿の読み取りによって得られた画像データに対して、補正フィルターを用いて画素値の補正処理を行うフィルター処理部９４と、を備える。そして、フィルター処理部９４は、１ライン分の読取周期内に仮想読取中心Ｃ０を設定し、ＲＧＢ各色のＬＥＤ２０のうち点灯期間の中心Ｃが仮想読取中心Ｃ０からずれる所定ＬＥＤ２０に対応する色成分の補正後の画素値が、所定ＬＥＤ２０の点灯期間の中心Ｃを仮想読取中心Ｃ０に一致させた場合の画素値となるように、所定ＬＥＤ２０の点灯期間の中心Ｃと仮想読取中心Ｃ０とのズレ量に基づき補正フィルターの係数を変更する。
【００６８】
本実施形態では、ＲＧＢ各色のＬＥＤ２０のうち点灯期間の中心Ｃが仮想読取中心Ｃ０からずれる所定ＬＥＤ２０に対応する色成分の画素値に対して、所定ＬＥＤ２０の点灯期間の中心Ｃを仮想読取中心Ｃ０に一致させた場合の画素値となるように、フィルター処理部９４が補正フィルターを用いて補正をかける。これにより、各色成分の画素値は、実質的に原稿Ｄ内の同じ位置を読み取った場合の画素値となる。したがって、原稿Ｄの読み取りによって得られた画像のエッジなどにおいて色ずれが発生するのを抑制することができる。
【００６９】
ここで、フィルター処理部９４は、所定ＬＥＤ２０の点灯期間の中心Ｃと仮想読取中心Ｃ０とのズレ量に基づき補正フィルターの係数を変更する。したがって、ＬＥＤの点灯期間の調整が行われ、所定ＬＥＤ２０の点灯期間の中心Ｃと仮想読取中心Ｃ０とのズレ量が変化すると、補正フィルターの係数が変更される。すなわち、補正フィルターの係数は、所定ＬＥＤ２０の調整後の点灯期間に応じた値に変更される。その結果、ＬＥＤ２０の点灯期間の調整が行われたとしても、所定ＬＥＤ２０に対応する色成分の画素値は、所定ＬＥＤ２０の点灯期間の中心Ｃを仮想読取中心Ｃ０に一致させた場合の画素値となるよう補正される（画素値の補正が正確に行われる）。
【００７０】
ところで、画像読取装置２００のシステムの都合上、１ライン分の読取周期内において最初に点消灯するＬＥＤ２０に対応する色を基準色としなければならない場合がある（１ライン分の読取周期内において最初に点消灯するＬＥＤ２０を基準ＬＥＤ２０としなければならない場合がある）。このような場合、光源部３００は、ＲＧＢ各色のＬＥＤ２０のうち１ライン分の読取周期内において点灯期間が最も長いＬＥＤ２０を最初に点消灯させる。これにより、１ライン分の読取周期内において最初に点消灯するＬＥＤ２０に対応する色を基準色としなければならない場合であっても、１ライン分の読取周期内において点灯期間が最も長いＬＥＤ２０に対応する色を基準色とすることができる。すなわち、光源部３００は、１ライン分の読取周期内において基準ＬＥＤ２０を最初に点消灯させることになる。たとえば、図１１に示すように、１ライン分の読取周期内において緑色ＬＥＤ２０Ｇの点灯期間が最も長ければ、１ライン分の読取周期内において緑色ＬＥＤ２０Ｇを最初に点消灯させ、その後、赤色ＬＥＤ２０Ｒおよび青色ＬＥＤ２０Ｂの順番で点消灯させる。
【００７１】
また、ＲＧＢ各色のＬＥＤ２０のうち１ライン分の読取周期内の点灯期間が最も長いＬＥＤ２０を判別できない場合がある。このような場合、フィルター処理部９４は、図１２に示すように、１ライン分の読取周期の中心に仮想読取中心Ｃ０を設定する。これにより、フィルター処理部９４による補正処理によって補正された画素値は、現在処理中のラインに対応する原稿Ｄ内の位置を読み取った場合の画素値となる。すなわち、図９（ａ）に示したような不都合は生じない。
【００７２】
ここで、図１２に示す例では、３色全てのＬＥＤ２０の点灯期間の中心Ｃが仮想読取中心Ｃ０からずれている。すなわち、３色全てのＬＥＤ２０が所定ＬＥＤ２０となる。したがって、フィルター処理部９４は、３色全ての画素値について、対応する所定ＬＥＤ２０の点灯期間の中心Ｃを仮想読取中心Ｃ０に一致させた場合に得られると予測される画素値に補正する。
【００７３】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００７４】
２０  ＬＥＤ（発光素子）
２０Ｒ  赤色ＬＥＤ（発光素子）
２０Ｇ  緑色ＬＥＤ（発光素子）
２０Ｂ  青色ＬＥＤ（発光素子）
９４  フィルター処理部
１００  画像形成装置
２００  画像読取装置
３００  光源部
４００  読取部
Ｃ  中心
Ｃ０  仮想読取中心
【図１】
2014232939.tif 000003
【図２】
2014232939.tif 000004
【図３】
2014232939.tif 000005
【図４】
2014232939.tif 000006
【図５】
2014232939.tif 000007
【図６】
2014232939.tif 000008
【図７】
2014232939.tif 000009
【図８】
2014232939.tif 000010
【図９】
2014232939.tif 000011
【図１０】
2014232939.tif 000012
【図１１】
2014232939.tif 000013
【図１２】
2014232939.tif 000014